(57)【要約】【課題】ループ状搬送機構を使用して、部品の共通化と小型化を図った媒体処理装置において、媒体の搬送を安定化し、且つ構成を簡略化する。【解決手段】、ループ状搬送機構（６）に、リング（６０）と複数の搬送ベルト機構（６２，６４，６６）とを用い、搬送機構（６）で、媒体を往復搬送しながら、単一の記録素子（２４）で記録処理する。又、ループ状搬送機構（６）をモジュール化し、繰り出し機構モジュール（１４）と組み合わせて、装置の要求に応じた搬送を実現する。【選択図】図３
2005346196.tif 000002
【特許請求の範囲】
【請求項１】
媒体を往復搬送して、媒体に記録処理する媒体処理装置において、
回転支点を有しないリングと、
前記リングの周囲に設けられた複数の搬送ベルト機構と、
前記リングの周囲に設けられた記録素子とを有し、
前記複数の搬送ベルト機構が、前記リングを保持するとともに、前記搬送ベルト機構の駆動により、前記リングを回転して、前記媒体を、前記搬送ベルト機構と前記リングとで挟んで、往復搬送する
ことを特徴とする媒体処理装置。
【請求項２】
前記複数の搬送ベルト機構を、前記リングの周囲を覆うように、少なくとも３つの搬送ベルト機構で構成した
ことを特徴とする請求項１の媒体処理装置。
【請求項３】
前記複数の搬送ベルト機構の間に、前記リングへ前記媒体を導入及び排出するための複数のゲートを更に設けた
ことを特徴とする請求項１の媒体処理装置。
【請求項４】
前記リング内に、前記複数の搬送ベルト機構を駆動する駆動モータを更に設けた
ことを特徴とする請求項１の媒体処理装置。
【請求項５】
回転体を回転し、媒体を往復搬送して、前記媒体に記録素子で記録処理するループ状搬送機構モジュールと、
ホッパから前記回転体に連続媒体をフィードし、且つカットする繰り出し機構モジュールとを有し、
前記繰り出し機構モジュールを前記ループ状搬送機構モジュールに連結し、且つ前記回転体へ前記媒体を導入及び排出するための複数のゲートを前記ループ状搬送機構に設けた
ことを特徴とする媒体処理装置。
【請求項６】
媒体に記録を行い、発行する媒体発行装置において、
回転体を回転し、媒体を往復搬送して、前記媒体に記録素子で記録処理するループ状搬送機構と、
ホッパから前記回転体に連続媒体をフィードし、且つカットする繰り出し機構とを有し、
前記ループ状搬送機構は、
回転支点を有しないリングと、
前記リングの周囲に設けられた複数の搬送ベルト機構と、
前記リングの周囲に設けられた記録素子とを有し、
前記複数の搬送ベルト機構が、前記リングを保持するとともに、前記搬送ベルト機構の駆動により、前記リングを回転して、前記媒体を、前記搬送ベルト機構と前記リングとで挟んで、往復搬送する
ことを特徴とする媒体発行装置。
【請求項７】
前記複数の搬送ベルト機構を、前記リングの周囲を覆うように、少なくとも３つの搬送ベルト機構で構成した
ことを特徴とする請求項６の媒体発行装置。
【請求項８】
前記複数の搬送ベルト機構の間に、前記リングへ前記媒体を導入及び排出するための複数のゲートを更に設けた
ことを特徴とする請求項６の媒体発行装置。
【請求項９】
前記リング内に、前記複数の搬送ベルト機構を駆動する駆動モータを更に設けた
ことを特徴とする請求項６の媒体発行装置。
【請求項１０】
媒体に記録を行い、発行する媒体発行装置において、
回転体を回転し、媒体を往復搬送して、前記媒体に記録素子で記録処理するループ状搬送機構モジュールと、
ホッパから前記回転体に連続媒体をフィードし、且つカットする繰り出し機構モジュールとを有し、
前記繰り出し機構モジュールを前記ループ状搬送機構モジュールに連結し、且つ前記回転体へ前記媒体を導入及び排出するための複数のゲートを前記ループ状搬送機構に設けた
ことを特徴とする媒体発行装置。
【発明の詳細な説明】
【技術分野】
【０００１】
本発明は、カット媒体を往復搬送し、カット媒体に記録等の処理を行う媒体処理装置及び媒体発行装置に関し、特に、搭乗券のような、データが記録された券を発行するのに好適な媒体処理装置及び媒体発行装置に関する。
【背景技術】
【０００２】
近年の自動処理技術の進展に伴い、搭乗券や乗車券等の券類の発行のため、自動発行装置が利用されている。近年、このような券類を自動処理するため、券類に、印字の他に、磁気データ等の読み取り可能なデータを記録することが行われている。
【０００３】
この要求により、自動発行装置は、磁気データ領域を持つ券類の媒体を使用し、この媒体に、データ（例えば、搭乗券では、搭乗日、搭乗便名、出発時間、座席位置、搭乗者名等）を記録し、且つ視認可能にこれらを印字して、発行する。近年、この自動発行装置で、複数種類の券類（例えば、各航空会社の券類）を取り扱う要求がある。
【０００４】
図１３及び図１４は、従来の媒体発行装置の説明図である。
【０００５】
図１３に示すように、発行する券は、金券と同じため、収容用紙は、カット紙ではなく、ファンフォールド連続紙１００を使用する。ここでは、３種類のファンフォールド連続紙１００を示す。発行すべき券のファンフォールド連続紙をフィードし、カッタ１０６で、分離して、カット券にする。この場合、金券の一種であり、偽造防止などの目的のため、ミシン目で連続された各券には、券の管理番号を記録してあるものがある。
【０００６】
この場合には、カッタ１０６でカットする前に、磁気ヘッド１０２、１０４で、券管理番号をリードし、確認する。カットされた券は、磁気ヘッド１０８でデータを磁気記録され、その後、磁気ヘッド１０８で、リードし、照合する。照合結果が良好であれば、熱転写印字ヘッド１１２で、券に印字を行い、ゲート１１４を介し排出スタッカ１１８に排出される。一方、磁気データの照合不一致の券は、印字されず、ゲート１１４により、リジェクトされ、リジェクトスタッカ１１６に収容される（例えば、特許文献１参照）。
【０００７】
この従来技術では、複数の媒体を扱う場合（複数の搬送路を持つような場合）には、同一の動作を行う、それぞれ固有の搬送機構や磁気ヘッド１０２、１０４、を持ち、又、リード／ライトに別々の磁気ヘッド１０８、１１０を設けているため、部品数の増加やスペース（搬送パス）の増大、また、上位からの切り替えにより、それぞれを動作させるような制御が必要となる。
【０００８】
このような問題を解決するために、図１４に示すように、搬送路をループ状に形成し、同一機能部を共通化する装置が提案されている（例えば、特許文献２参照）。即ち、回転軸１２４を持つドラム１２２と、駆動ローラ１２８、１３０と、ガイド１３２、１３４、１３６、１３８とで、ループ状搬送路を形成し、ドラム１２２内に、１つの磁気ヘッド１２６を設け、且つゲート１４０、１４２を設置する。
【０００９】
このループ搬送方法では、回転軸をもつ回転体と駆動ローラによって挟んで、媒体を搬送するため、媒体の往復搬送が可能となり、１つの磁気ヘッドで、ライト／リードを共通化でき、且つ搬送パスを短くできる。
【特許文献１】特開平５−３１４３３３号公報(図１）
【特許文献２】特開平１０−１６２１７４号公報(図２）
【発明の開示】
【発明が解決しようとする課題】
【００１０】
しかしながら、回転軸１２４を持つドラム１２２の回転と、ガイド、ローラを使用した搬送では、媒体のジャムが発生し易い。特に、比較的厚みがある媒体を、ループに沿って搬送するには、ガイドで、ジャムを誘発しやすい。又、回転軸１２４を持つドラム１２２の回転を使用するため、回転軸受が必要であり、且つローラとの協働で搬送するには、ローラの退避機構等の複雑な構成が必要となる。
【００１１】
このため、媒体の往復搬送により、部品を共通化しても、かえって、構造が複雑化し、且つ搬送能力の信頼性が低下するおそれがある。
【００１２】
又、従来技術では、装置が設置される環境や使用用途に合わせて、ループ状搬送路への媒体の入口、出口を変更するには、その都度、これに合わせた媒体搬送機構を開発及び製造する必要があり、手間がかかるとともに、大量生産によるコスト削減に向いていない。
【００１３】
従って、本発明の目的は、ループ状搬送路を使用しても、構成が複雑となることを防止するための媒体処理装置及び媒体発行装置を提供することにある。
【００１４】
又、本発明の他の目的は、ループ状搬送路を使用しても、簡易な構成で、媒体搬送の信頼性を向上するための媒体処理装置及び媒体発行装置を提供することにある。
【００１５】
更に、本発明の更に他の目的は、装置の設置環境や使用用途に応じて、媒体の出入口の変更を容易に実現するための媒体処理装置及び媒体発行装置を提供することにある。
【課題を解決するための手段】
【００１６】
この目的の達成のため、本発明の媒体処理装置は、媒体を往復搬送して、媒体に記録処理する媒体処理装置において、回転支点を有しないリングと、前記リングの周囲に設けられた複数の搬送ベルト機構と、前記リングの周囲に設けられた記録素子とを有し、前記複数の搬送ベルト機構が、前記リングを保持するとともに、前記搬送ベルト機構の駆動により、前記リングを回転して、前記媒体を、前記搬送ベルト機構と前記リングとで挟んで、往復搬送する。
【００１７】
本発明の媒体発行装置は、媒体に記録を行い、発行する媒体発行装置において、回転体を回転し、媒体を往復搬送して、前記媒体に記録素子で記録処理するループ状搬送機構と、ホッパから前記回転体に連続媒体をフィードし、且つカットする繰り出し機構とを有し、前記ループ状搬送機構は、回転支点を有しないリングと、前記リングの周囲に設けられた複数の搬送ベルト機構と、前記リングの周囲に設けられた記録素子とを有し、前記複数の搬送ベルト機構が、前記リングを保持するとともに、前記搬送ベルト機構の駆動により、前記リングを回転して、前記媒体を、前記搬送ベルト機構と前記リングとで挟んで、往復搬送する。
【００１８】
本発明では、ループ状搬送機構に、複数の搬送ベルト機構と、リングを使用したため、ベルト搬送と同様に、媒体をしっかり保持して、搬送でき、媒体ジャムが生じることを防止できる。即ち、変形媒体の搬送を安定にできる。また、ガイドの削除や回転支点が不要なことにより、部品数の削減、機構の簡素化が可能になる。
【００１９】
又、本発明では、好ましくは、前記複数の搬送ベルト機構を、前記リングの周囲を覆うように、少なくとも３つの搬送ベルト機構で構成した。
【００２０】
又、本発明では、好ましくは、前記複数の搬送ベルト機構の間に、前記リングへ前記媒体を導入及び排出するための複数のゲートを更に設けた。
【００２１】
又、本発明では、好ましくは、前記リング内に、前記複数の搬送ベルト機構を駆動する駆動モータを更に設けた。
【００２２】
又、本発明では、好ましくは、前記搬送ベルト機構は、少なくとも２つのローラと、前記ローラ間に張られた平ベルトとで構成された。
【００２３】
又、本発明では、好ましくは、前記複数の搬送ベルト機構が、前記リングの周囲に、ほぼ等間隔で配置された。
【００２４】
又、本発明では、好ましくは、前記リングと、前記複数の搬送ベルト機構と、前記記録素子とを１つのモジュールとして構成した。
【００２５】
又、本発明では、好ましくは、ホッパから前記リングに連続媒体をフィードし、且つカットする繰り出し機構を更に有する。
【００２６】
更に、本発明の媒体処理装置は、回転体を回転し、媒体を往復搬送して、前記媒体に記録素子で記録処理するループ状搬送機構モジュールと、ホッパから前記回転体に連続媒体をフィードし、且つカットする繰り出し機構モジュールとを有し、前記繰り出し機構モジュールを前記ループ状搬送機構モジュールに連結し、且つ前記回転体へ前記媒体を導入及び排出するための複数のゲートを前記ループ状搬送機構に設けた。
【００２７】
本発明の媒体発行装置は、媒体に記録を行い、発行する媒体発行装置において、回転体を回転し、媒体を往復搬送して、前記媒体に記録素子で記録処理するループ状搬送機構モジュールと、ホッパから前記回転体に連続媒体をフィードし、且つカットする繰り出し機構モジュールとを有し、前記繰り出し機構モジュールを前記ループ状搬送機構モジュールに連結し、且つ前記回転体へ前記媒体を導入及び排出するための複数のゲートを前記ループ状搬送機構に設けた。
【００２８】
この本発明では、ループ状搬送機構と繰り出し機構とをモジュール化し、ループ状搬送機構に、前後のモジュール／ユニットとの媒体受け渡しの搬送路の切り替えを行うゲート機構を複数箇所設置したので、同一ユニットであっても、その配置方向を変えるなどの対応により、たとえば装置の設置条件によって媒体の吸入方向を変えるなどの柔軟な対応が可能となる。
【発明の効果】
【００２９】
本発明では、ループ状搬送機構に、複数の搬送ベルト機構と、リングを使用したため、ベルト搬送と同様に、媒体をしっかり保持して、搬送でき、媒体ジャムが生じることを防止できる。即ち、変形媒体の搬送を安定にできる。また、ガイドの削除や回転支点が不要なことにより、部品数の削減、機構の簡素化が可能になる。
【００３０】
又、ループ状搬送機構と繰り出し機構とをモジュール化し、ループ状搬送機構に、前後のモジュール／ユニットとの媒体受け渡しの搬送路の切り替えを行うゲート機構を複数箇所設置したので、同一ユニットであっても、その配置方向を変えるなどの対応により、たとえば装置の設置条件によって媒体の吸入方向を変えるなどの柔軟な対応が可能となる。
【発明を実施するための最良の形態】
【００３１】
以下、本発明の実施の形態を、媒体発行装置、媒体搬送機構、モジュール構成、他の実施の形態の順で説明する。
【００３２】
［媒体発行装置］
図１は、本発明の一実施の形態の媒体発行装置の外観図、図２は、図１の媒体発行装置の構成図、図３は、図１の媒体発行装置の内部概略図、図４は、図１の媒体発行装置の搬送パスの詳細構成図である。
【００３３】
図１乃至図４は、媒体発行装置として、航空券を発行する自動券発行装置を例に示す。図１及び図２に示すように、自動券発行装置１は、カウンタ台に置かれ、その下に、ファンフォールド連続紙７ａ，７ｂを収容したホッパ１０、１１が置かれる。ファンフォールド連続紙７ａ，７ｂは、テンションローラなどのガイド機構８ａ，８ｂを介して、又は直接、自動券発行装置１の裏面に導かれる。
【００３４】
図１に示すように、自動券発行装置１の前面には、動作状態を表示するインヂケータ群２と、操作のための入力キー群３と、排出スタッカ４と、券挿入口５とが設けられている。
【００３５】
図３において、繰り出し機構１４は、発行すべき券のファンフォールド連続紙をフィードし、カッタ１６で、分離して、カット券にする。この場合、発行券は、金券の一種であり、偽造防止などの目的のため、ミシン目で連続された各券には、券の管理番号を記録してあるものがある。
【００３６】
カットされた券は、リング搬送機構６により、往復搬送されながら、単一の磁気ヘッド２４でデータを磁気記録され、その後、磁気ヘッド２４で、リードし、照合される。照合結果が良好であれば、熱転写印字ヘッド１８で、券に印字を行い、ゲート２０を介し排出スタッカ４に排出される。一方、磁気データの照合不一致の券は、印字されず、ゲート２０により、リジェクトされ、リジェクトスタッカ２２に収容される。
【００３７】
リング搬送機構６は、回転支点を持たない円柱上のリング６０と、リング６０の周囲を囲むように設けられた搬送ベルト６２、６４、６６とで構成される。搬送ベルト６２、６４、６６によって、円柱状リング６０を保持し、且つ搬送ベルト６２、６４、６６の駆動により、円柱状リング６０を回転する。これにより、このリング６０とベルト６２、６４、６６との間に挟んだ媒体を、リング６０の外周（軌跡）に沿って、リング６０と一緒に搬送する。
【００３８】
このとき、リング６０を、搬送ベルトで保持して、回転するためには、リング６０のバランスを取る必要がある。このため、複数の搬送ベルト６２、６４、６６を、リング６０の外周に沿って均等に配置する。図３のように、３つの搬送ベルト６２、６４、６６を均等に配置すると、リング６０の左右、上下のバランスをとって、安定に保持、且つ回転できる。
【００３９】
この搬送ベルト６２、６４、６６は、リング６０の駆動（媒体搬送）と媒体のガイドを兼用する。このため、ベルト搬送と同様に、媒体をしっかり保持して、搬送でき、媒体ジャムが生じることを防止できる。このように、媒体を、ベルト６２、６４、６６とリング６０とによって保持した場合、変形媒体の搬送を安定にできる。また、ガイドの削除や回転支点が不要なことにより、部品数の削減、機構の簡素化が可能になる。
【００４０】
図３において、繰出機構部１４で、吸入され、カッタ１６でカットされた媒体は、リング搬送部６まで搬送される。リング搬送部６は、リング６０と平ベルト６２、６４、６６によって、媒体を挟み、リング６０の外周上を、円軌道を描き回転搬送する。このときの回転方向と、ゲート２６、２８の位置（設定）により、排出機構部より次ユニットへ搬送される。
【００４１】
図４は、図３の構成を、図１及び図２の装置に適用した詳細な構成図であり、図４において、図３で示したものと同一のものは、同一の記号で示してある。繰り出し機構１４は、一対の挿入ガイド３０、３１と、一対の繰り出しローラ３２、３３と、繰り出しローラ３２、３３の駆動モータ３４と、カッタ１６と、カッタ１５の駆動モータ(図示せず）で構成される。
【００４２】
リング搬送機構６は、詳細は、図５にて、後述するが、回転支点を持たない円柱上のリング６０と、リング６０の周囲を囲むように設けられた搬送ベルト６２、６４、６６とで構成される。第１の搬送ベルト６２は、駆動プーリ７５，一対の従動プーリ７６ａ，７６ｂに平ベルトを設けて構成される。同様に、第２の搬送ベルト６４は、駆動プーリ７０，及び一対の従動プーリ７１，７２に平ベルトを設けて構成される。第３の搬送ベルト６６は、駆動プーリ７３及び従動プーリ７４に平ベルトを設けて構成される。
【００４３】
搬送ベルト６２，６４，６６は、円柱状リング６０内に設けられた駆動モータ９０により駆動される。これら搬送ベルト６２，６４，６６によって、円柱状リング６０を保持し、且つ駆動モータ９０により駆動される搬送ベルト６２、６４、６６の駆動により、円柱状リング６０を回転する。これにより、このリング６０とベルト６２、６４、６６との間に挟んだ媒体を、リング６０の外周（軌跡）に沿って、リング６０と一緒に搬送する。
【００４４】
このとき、リング６０を、搬送ベルトで保持して、回転するためには、リング６０のバランスを取るため、３つの搬送ベルト６２、６４、６６を、リング６０の外周に沿って均等に配置する。又、各ベルト６２，６４，６６は、弾力性があるため、３つの搬送ベルト６２、６４、６６を均等に配置することにより、リング６０の左右、上下のバランスをとって、安定に保持、且つ回転できる。
【００４５】
この搬送ベルト６２、６４、６６は、リング６０の駆動（媒体搬送）と媒体のガイドを兼用する。このため、ベルト搬送と同様に、媒体をしっかり保持して、搬送でき、媒体ジャムが生じることを防止できる。このように、媒体を、ベルト６２、６４、６６とリング６０とによって保持した場合、変形媒体の搬送を安定にできる。また、ガイドの削除や回転支点が不要なことにより、部品数の削減、機構の簡素化が可能になる。
【００４６】
印字機構１８は、サーマルヘッド１８ｂと、サーマルヘッド１８ｂの上下動作のための駆動モータ１８ｄと、熱転写リボンカセット１８ａと、熱転写リボンカセット１８ａの駆動モータ１８ｃとで構成されている。搬送ローラ４０は、リング機構６から印字機構１８に券を搬送する。排出ローラ４４は、排出する券をポケット形状の排出スタッカ４に排出する。搬送ローラ４０、排出ローラ４４は、駆動モータ４６で駆動される。
【００４７】
スイッチバックローラ４２は、図３で図示したゲート２０（図４では、図示せず）により、リジェクトされた券を、いったん右方向に搬送した後、左方向に搬送して、リジェクトボックス２２に収容する。
【００４８】
［媒体搬送機構］
次に、媒体搬送機構、即ち、リング搬送機構を詳細に説明する。図５は、本発明の一実施の形態の媒体搬送機構の断面図、図６は、図５の媒体搬送機構の斜視図である。図５は、図４のリング搬送機構を裏面から見た断面図であり、図６は、図４のリング搬送機構を左方から見た斜視図である。図５及び図６において、図３及び図４で示したものと同一のものは、同一の記号で示してある。
【００４９】
図５及び図６に示すように、リング搬送機構６に、磁気リード／ライト部２４を設け、共通（基本）モジュールとした。また、繰出機構部１４を、装置の使用用途に併せ、複数種類用意（バリエーション）する。
【００５０】
先ず、リング搬送機構６を説明すると、右フレーム９１（図６）に、第１の搬送ベルト６２の駆動プーリ７５及び一対の従動プーリ７６ａ，７６ｂと、第２の搬送ベルト６４の駆動プーリ７０，及び一対の従動プーリ７１，７２と、第３の搬送ベルト６６の駆動プーリ７３及び従動プーリ７４の回転軸が、ベアリング等で軸支持される。
【００５１】
又、左フレーム９３（図６）に、第１の搬送ベルト６２の駆動プーリ７５及び一対の従動プーリ７６ａ，７６ｂと、第２の搬送ベルト６４の駆動プーリ７０，及び一対の従動プーリ７１，７２と、第３の搬送ベルト６６の駆動プーリ７３及び従動プーリ７４の回転軸が、ベアリング等で軸支持され、且つ駆動モータ９０が固定される。
【００５２】
更に、左フレーム９３側に、図５に示すように、駆動モータ９０の回転軸と、第１の搬送ベルト６２の駆動プーリ７５と、第２の搬送ベルト６４の駆動プーリ７０と、第３の搬送ベルト６６の駆動プーリ７３との回転軸とを連結し、駆動力を伝達する駆動ベルト９６が、テンションローラ９４を介し設けられる。
【００５３】
図５に示すように、各搬送ベルト６２，６４，６６の間には、ゲート２６、２８，３６が設けられる。一方、磁気ヘッド２４は、搬送ベルト６２の間に設けられる。排出口３８a又は３８ｂは、リング搬送機構６から券を排出するものである。
【００５４】
又、繰り出し機構１４もモジュール化されており、前述のように、一対の挿入ガイド３０、３１と、一対の繰り出しローラ３２、３３と、繰り出しローラ３２、３３の駆動モータ３４と、カッタ１６と、カッタ１６の駆動モータ(図示せず）と、接続フレーム１４０とが、図５及び図６のように配置される。
【００５５】
従って、図６のように、繰り出し機構１４の接続フレーム１４０を、リング搬送機構６の左右フレーム９１，９３にねじ止めすることのより、繰り出し機構１４と、リング搬送機構６とが連結する。このように、モジュール化することにより、基本部の開発工数削減を図ることができる。
【００５６】
即ち、ドラム状回転体搬送機構に、前後のモジュール／ユニットとの媒体受け渡しなどについて、搬送路の切り替えを、ドラム回転方向により自動選択されるゲート機構を採用し、且つこのゲートを複数箇所設置し、設定（固定／可動）の変更を行う。このことによって、同一ユニットであっても、その配置方向を変えるなどの対応により、たとえば装置の設置条件によって媒体の吸入方向や排出方向を変えるなどの柔軟な対応が可能となる。
【００５７】
次に、図７乃至図１０を参照して、リング搬送機構を含む媒体処理装置の動作を説明する。図７乃至図１０において、図３乃至図６で示したものと同一のものは、同一の記号で示してある。
【００５８】
図７に示すように、指定されたファンフォールド連続紙７ａは、繰り出し機構１４により、カッタ１６を経て、リング搬送機構６へ繰り出される。更にリング搬送機構６の時計方向の回転により、磁気ヘッド２４が、ファンフォールド連続紙７ａの磁気ストライプ（のページ管理番号等）をリードしながら、券となる部分の後端が、カット位置に到達するまで、搬送された後、連続紙７ａは、カッタ１６でカットされ、単票（券）Ｔに分離される。
【００５９】
次に、図８に示すように、リング搬送機構６の時計方向の回転により、分離された券Ｔを、券Ｔの先端が、磁気ヘッド２４の近傍に到達するまで搬送する。これをライト待機位置という。この時、カッタ１６でカットされない部分のファンフォール連続紙７ａは、繰り出し機構１４で、共通搬送路（カッタ１６の搬送路）から退避され、別の連続紙の繰り出しの障害とならないようにする。
【００６０】
更に、図９に示すように、リング搬送機構６の時計方向の回転により、磁気ヘッド２４が、分離された券Ｔの磁気ストライプ（のページ管理番号等）にデータを磁気記録する。リング搬送機構６の時計方向の回転により、券の後端が、磁気ヘッド２４に到達すると、搬送を停止する。
【００６１】
最後に、リング搬送機構６の反時計方向の回転により、券Ｔの磁気ストライプの磁気記録されデータをリードしながら、搬送され、且つゲート２８（図３参照）により、券Ｔの先端部が、印字ヘッド１８方向に導かれ、券Ｔの後端が、磁気ヘッド２４を離れると、停止する。これにより、ライトデータが、リードデータと照合される、所謂ベリファイリードを行う。この位置を、ベリファイリード完了位置という。
【００６２】
その後、図３で前述したように、照合結果が良好であれば、券Ｔは、熱転写印字ヘッド１８に搬送され、ヘッド１８で、印字され、ゲート２０（図３参照）を介し排出スタッカ４に排出される。一方、磁気データの照合不一致の券は、印字されず、ゲート２０（図３参照）により、リジェクトされ、リジェクトスタッカ２２に収容される。
【００６３】
このように、ループ状搬送路で、部品を共通化しても、リング搬送機構を採用しているため、比較的腰の強い券等を搬送しても、ジャムの障害を防止でき、且つ簡易な機構で実現できる。又、回転支点を持たないリング６０のため、リング６０内に、搬送モータ９０を配置でき、よりコンパクトな構成が可能となり、特に、モジュール化に適している。
【００６４】
［モジュール構成］
次に、ループ搬送機構６と、繰り出し機構１４のモジュール化を詳細に説明する。図１１及び図１２は、本発明のモジュール化構成の説明図である。図１１及び図１２において、図３乃至図６で示したものと同一のものは、同一の記号で示してある。
【００６５】
図５及び図６に示したように、リング搬送機構６に、磁気リード／ライト部２４を設け、共通（基本）モジュールとし、繰出機構部１４を、装置の使用用途に併せ、複数種類用意（バリエーション）している。
【００６６】
そして、図６に示したように、繰り出し機構１４の接続フレーム１４０を、リング搬送機構６の左右フレーム９１，９３にねじ止めすることのより、繰り出し機構１４と、リング搬送機構６とが連結する。このように、モジュール化することにより、基本部の開発工数削減を図る。
【００６７】
図３乃至図６で説明した例では、装置の裏面、即ち、横からファンフォールド連続紙を導入する例で説明した。図１１は、装置の下面からファンフォールド連続紙を導入するモジュール例を示す。
【００６８】
即ち、図１１に示すように、リング搬送機構６の構成、配置は、図３と同一である。一方、モジュール化された第２の繰り出し機構１４ａは、複数の挿入ガイド３０ａ，３０ｂ、３１ａと、複数の繰り出しローラ３２ａ，３２ｂ、３３ａと、繰り出しローラ３２ａ，３２ｂ、３３ａの駆動モータ３４ａと、カッタ１６と、接続フレーム１４０（図示せず）を有する。
【００６９】
第２の繰り出し機構１４ａの構成の各部品は、基本的に、図３乃至図６の繰り出し機構１４と同一であるが、ファンフォールド連続紙のフィード、退避方向に合わせて、配置が異なる。
【００７０】
同様に、図１２は、装置の上面からファンフォールド連続紙を導入するモジュール例を示す。即ち、図１２に示すように、リング搬送機構６の構成は、図３のと同一であるが、配置は、図３に比し、時計方向に９０度回転している。
【００７１】
一方、モジュール化された第３の繰り出し機構１４ｂは、複数の挿入ガイド３０ｃ，３１ｃと、複数の繰り出しローラ３２ｃ，３３ｃと、繰り出しローラ３２ｃ，３３ｃの駆動モータ３４ｂと、カッタ１６と、接続フレーム１４０（図示せず）を有する。
【００７２】
第３の繰り出し機構１４ｂの構成の各部品は、基本的に、図３乃至図６の繰り出し機構１４と同一であるが、ファンフォールド連続紙のフィード、退避方向に合わせて、配置が異なる。
【００７３】
このように、ドラム状回転体搬送機構６に、前後のモジュール／ユニットとの媒体受け渡しの搬送路の切り替えを、ドラム回転方向により、自動選択されるゲート機構を採用し、且つこのゲートを複数箇所設置し、設定（固定／可動）の変更を行う。このことによって、同一ユニットであっても、その配置方向や排出方向を変えるなどの対応により、たとえば装置の設置条件によって媒体の吸入方向を変えるなどの柔軟な対応が可能となる。
【００７４】
又、このモジュール化構成は、ループ状搬送機構を、リング６０と平ベルト６２〜６６とを使用したリング搬送機構に限らず、他のドラム搬送機構でも同様に適用できる。
【００７５】
［他の実施の形態］
前述の実施の形態では、媒体処理装置を磁気記録するもので説明したが、他の光学等を利用した記録処理を行うものにも適用できる。又、航空券の発行装置で説明したが、乗車券、搭乗券、荷札等の他のカット券類でも良い。更に、券の発行装置に限らず、券類の他の出力装置にも適用できる。
【００７６】
以上、本発明を実施の形態により説明したが、本発明の趣旨の範囲内において、本発明は、種々の変形が可能であり、本発明の範囲からこれらを排除するものではない。
【００７７】
（付記１）媒体を往復搬送して、媒体に記録処理する媒体処理装置において、回転支点を有しないリングと、前記リングの周囲に設けられた複数の搬送ベルト機構と、前記リングの周囲に設けられた記録素子とを有し、前記複数の搬送ベルト機構が、前記リングを保持するとともに、前記搬送ベルト機構の駆動により、前記リングを回転して、前記媒体を、前記搬送ベルト機構と前記リングとで挟んで、往復搬送することを特徴とする媒体処理装置。
【００７８】
（付記２）前記複数の搬送ベルト機構を、前記リングの周囲を覆うように、少なくとも３つの搬送ベルト機構で構成したことを特徴とする付記１の媒体処理装置。
【００７９】
（付記３）前記複数の搬送ベルト機構の間に、前記リングへ前記媒体を導入及び排出するための複数のゲートを更に設けたことを特徴とする付記１の媒体処理装置。
【００８０】
（付記４）前記リング内に、前記複数の搬送ベルト機構を駆動する駆動モータを更に設けたことを特徴とする付記１の媒体処理装置。
【００８１】
（付記５）前記搬送ベルト機構は、少なくとも２つのローラと、前記ローラ間に張られた平ベルトとで構成されたことを特徴とする付記１の媒体処理装置。
【００８２】
（付記６）前記複数の搬送ベルト機構が、前記リングの周囲に、ほぼ等間隔で配置されたことを特徴とする付記１の媒体処理装置。
【００８３】
（付記７）前記リングと、前記複数の搬送ベルト機構と、前記記録素子とを１つのモジュールとして構成したことを特徴とする付記１の媒体処理装置。
【００８４】
（付記８）ホッパから前記リングに連続媒体をフィードし、且つカットする繰り出し機構を更に有することを特徴とする付記１の媒体処理装置。
【００８５】
（付記９）回転体を回転し、媒体を往復搬送して、前記媒体に記録素子で記録処理するループ状搬送機構モジュールと、ホッパから前記回転体に連続媒体をフィードし、且つカットする繰り出し機構モジュールとを有し、前記繰り出し機構モジュールを前記ループ状搬送機構モジュールに連結し、且つ前記回転体へ前記媒体を導入及び排出するための複数のゲートを前記ループ状搬送機構に設けたことを特徴とする媒体処理装置。
【００８６】
（付記１０）前記ループ状搬送機構モジュールは、回転支点を有しないリングと、前記リングの周囲に設けられた複数の搬送ベルト機構と、前記リングの周囲に設けられた記録素子とを有することを特徴とする付記９の媒体搬送装置。
【００８７】
（付記１１）媒体に記録を行い、発行する媒体発行装置において、回転体を回転し、媒体を往復搬送して、前記媒体に記録素子で記録処理するループ状搬送機構と、ホッパから前記回転体に連続媒体をフィードし、且つカットする繰り出し機構とを有し、前記ループ状搬送機構は、回転支点を有しないリングと、前記リングの周囲に設けられた複数の搬送ベルト機構と、前記リングの周囲に設けられた記録素子とを有し、前記複数の搬送ベルト機構が、前記リングを保持するとともに、前記搬送ベルト機構の駆動により、前記リングを回転して、前記媒体を、前記搬送ベルト機構と前記リングとで挟んで、往復搬送することを特徴とする媒体発行装置。
【００８８】
（付記１２）前記複数の搬送ベルト機構を、前記リングの周囲を覆うように、少なくとも３つの搬送ベルト機構で構成したことを特徴とする付記１１の媒体発行装置。
【００８９】
（付記１３）前記複数の搬送ベルト機構の間に、前記リングへ前記媒体を導入及び排出するための複数のゲートを更に設けたことを特徴とする付記１１の媒体発行装置。
【００９０】
（付記１４）前記リング内に、前記複数の搬送ベルト機構を駆動する駆動モータを更に設けたことを特徴とする付記１１の媒体発行装置。
【００９１】
（付記１５）前記搬送ベルト機構は、少なくとも２つのローラと、前記ローラ間に張られた平ベルトとで構成されたことを特徴とする付記１１の媒体発行装置。
【００９２】
（付記１６）前記複数の搬送ベルト機構が、前記リングの周囲に、ほぼ等間隔で配置されたことを特徴とする付記１１の媒体発行装置。
【００９３】
（付記１７）前記リングと、前記複数の搬送ベルト機構と、前記記録素子とを１つのモジュールとして構成したことを特徴とする付記１１の媒体発行装置。
【００９４】
（付記１８）媒体に記録を行い、発行する媒体発行装置において、回転体を回転し、媒体を往復搬送して、前記媒体に記録素子で記録処理するループ状搬送機構モジュールと、ホッパから前記回転体に連続媒体をフィードし、且つカットする繰り出し機構モジュールとを有し、前記繰り出し機構モジュールを前記ループ状搬送機構モジュールに連結し、且つ前記回転体へ前記媒体を導入及び排出するための複数のゲートを前記ループ状搬送機構に設けたことを特徴とする媒体発行装置。
【００９５】
（付記１９）前記ループ状搬送機構モジュールは、回転支点を有しないリングと、前記リングの周囲に設けられた複数の搬送ベルト機構と、前記リングの周囲に設けられた記録素子とを有することを特徴とする付記１８の媒体発行装置。
【００９６】
（付記２０）前記ループ状搬送機構モジュールで記録処理された前記媒体を排出口へ搬送する搬送機構を更に有することを特徴とする付記１８の媒体発行装置。
【産業上の利用可能性】
【００９７】
ループ状搬送機構と繰り出し機構とを有する媒体処理装置において、ループ状搬送機構の搬送安定化及び構成簡略化を実現でき、かかる装置の安定化に寄与する。又、両機構をモジュール化したので、同一ユニットであっても、その配置方向を変えるなどの対応により、装置の設置条件によって媒体の吸入方向を変えるなどの柔軟な対応が可能となる。
【図面の簡単な説明】
【００９８】
【図１】本発明の一実施の形態の媒体発行装置の外観図である。
【図２】図１の媒体発行装置の横面図である。
【図３】図１の媒体発行装置の内部構成図である。
【図４】図１の媒体発行装置の内部詳細構成図である。
【図５】図３及び図４のリング搬送機構と繰り出し機構の断面図である。
【図６】図５のリング搬送機構と繰り出し機構の斜視図である。
【図７】図３乃至図５の構成の連続紙繰り出し動作の説明図である。
【図８】図３乃至図５の構成のライト待機位置への搬送動作の説明図である。
【図９】図３乃至図５の構成の券への磁気記録動作の説明図である。
【図１０】図３乃至図５の構成の券のライトベリファイ動作の説明図である。
【図１１】本発明の一実施の形態の媒体処理装置のモジュール化の変形例の説明図である。
【図１２】本発明の一実施の形態の媒体処理装置のモジュール化の他の変形例の説明図である。
【図１３】従来技術の説明図である。
【図１４】従来のループ状搬送機構の説明図である。
【符号の説明】
【００９９】
１  媒体発行装置
４  排出スタッカ
６  リング搬送機構
７ａ，７ｂ  連続媒体
８ａ，８ｂ  テンションローラ
１０、１１  ホッパ
１４  繰り出し機構
１６  カッタ
１８  印字機構
２０、２６、２８  ゲート
２２  リジェクトボックス
２４  記録ヘッド（磁気ヘッド）
６０  リング
６２、６４、６６  ベルト搬送機構
【図１】
2005346196.tif 000003
【図２】
2005346196.tif 000004
【図３】
2005346196.tif 000005
【図４】
2005346196.tif 000006
【図５】
2005346196.tif 000007
【図６】
2005346196.tif 000008
【図７】
2005346196.tif 000009
【図８】
2005346196.tif 000010
【図９】
2005346196.tif 000011
【図１０】
2005346196.tif 000012
【図１１】
2005346196.tif 000013
【図１２】
2005346196.tif 000014
【図１３】
2005346196.tif 000015
【図１４】
2005346196.tif 000016